(57)【要約】【課題】鉄筋コンクリート路盤が架け渡された鉄道橋の解体にともなうバラスト軌道の路盤形成方法を提供する。【解決手段】鉄筋コンクリート路盤としての上床版１２の底面側に支保２５を組み、支保２５の上に鉄板２３を載置し、鉄板２３と上床版１２との間に複数の単管パイプ２４を軌条直交方向に並べた状態で挟み込み、支保２５の下端から鉄板２３までをセメント系材料で埋め固めて支持層２２を形成し、上床版１２を軌条直交方向に分断して複数のブロック１２０に分割する。単管パイプ２４により支持されるブロックのいずれか１つを選択して、選択したブロック周辺の道床バラスト４を除去し、単管パイプ２４の上を滑らせるようにして引き抜いた後、引き抜くことにより生じた空間に砕石を投入して砕石路盤３１を形成し、路盤上に道床バラスト４を埋め戻すことを、単管パイプ２４により支持される個々のブロック１２０ごとに順次行う。【選択図】図１３
2018172953.tif 000002
【特許請求の範囲】
【請求項１】
鉄筋コンクリート路盤が架け渡された鉄道橋の解体にともなうバラスト軌道の路盤形成方法であって、
（ア）前記鉄筋コンクリート路盤の底面側に鉄板支持用の支保を組み、当該支保の上に鉄板を載置し、当該鉄板上に複数の断面円形部材を軌条直交方向に並べ、前記支保の高さを調整して前記鉄板と前記鉄筋コンクリート路盤との間に前記断面円形部材を挟み込む工程と、
（イ）前記支保の下端から前記鉄板までセメント系材料で埋め固めて、前記鉄板に負荷される荷重を受ける支持層を形成する工程と、
（ウ）前記鉄筋コンクリート路盤が軌条延伸方向に所望の間隔でブロック状に分割された状態となるように、前記鉄筋コンクリート路盤を軌条直交方向に切削する工程と、
（エ）ブロック状に分割された状態の鉄筋コンクリート路盤を個々のブロックごとに軌条直交方向に引き抜き、引抜くことにより生じた空間に砕石を投入することにより、前記鉄筋コンクリート路盤を順次砕石路盤に変更する工程と、
を含むことを特徴とするバラスト軌道の路盤形成方法。
【請求項２】
道床バラストを支持する鉄筋コンクリート路盤が架け渡された鉄道橋の解体にともなうバラスト軌道の路盤形成方法であって、
前記（エ）の工程が、
ブロック状に分割された状態の鉄筋コンクリート路盤のうち前記断面円形部材上にある各ブロックについて、
（ａ）いずれか１つを引抜対象部として選択し、
（ｂ）引抜対象部周辺の道床バラスト含む砕石を除去し、前記断面円形部材上を滑らせるようにして当該引抜対象部を軌条直交方向に引き抜き、引き抜くことにより生じた前記鉄板上の空間に砕石を投入して砕石路盤を形成することにより、当該引抜対象部の区間を鉄筋コンクリート路盤から砕石路盤に変更した後、路盤上に道床バラストを埋め戻し、
（ｃ）砕石路盤に変更された区間に隣接するブロックを次の引抜対象部として選択して前記（ｂ）の工程を行うことを、前記断面円形部材上にある各ブロックについて個々に順次行う
工程を含むことを特徴とする請求項１記載のバラスト軌道の路盤形成方法。
【請求項３】
前記（ａ）において選択される引抜対象部は軌条直交方向に連続して開けられた削孔によりブロック状に分割されていることを特徴とする請求項２記載のバラスト軌道の路盤形成方法。
【請求項４】
前記断面円形部材は単管パイプであり、
ブロック状に分割された状態の鉄筋コンクリート路盤のうち前記断面円形部材上にある各ブロックが、少なくとも２本以上の単管パイプにより支承されるように、前記（ア）の工程において前記単管パイプを複数並べて挟み込むことを特徴とする請求項１ないし３記載のバラスト軌道の路盤形成方法。
【請求項５】
前記（ア）の工程の前に、前記鉄筋コンクリート路盤の下方にエアモルタルを打設してエアモルタル層を形成し、当該エアモルタル層の上にコンクリートを打設して保護層を形成する工程を含み、
前記（ア）の工程において、当該保護層上に前記支保を組むことにより、前記鉄板に負荷された荷重を前記支保及び前記支持層を介して前記保護層及び前記エアモルタル層で受けることを特徴とする請求項１ないし４記載のバラスト軌道の路盤形成方法。
【請求項６】
前記（エ）の工程の前に、前記鉄板の高さ位置近傍まで砕石による腹付盛土をして前記支持層の両脇に腹付部を形成し、当該腹付部の上に養生鉄板を敷く工程を含み、
前記（エ）の工程において、軌条直交方向に引き抜かれた前記ブロックを当該養生鉄板で受けることを特徴とする請求項１ないし５記載のバラスト軌道の路盤形成方法。
【発明の詳細な説明】
【技術分野】
【０００１】
本発明は、バラスト軌道の路盤形成方法に関し、特に、鉄筋コンクリート路盤が架け渡された鉄道橋の解体にともなうバラスト軌道の路盤形成方法に関する。
【背景技術】
【０００２】
鉄道用のバラスト軌道は、路盤の施工基面上にバラスト道床を整形し、この道床上に多数の枕木を配設し、これらの枕木上に軌条（レール）を設置することにより設けられる。バラスト道床に用いられる砕石等（以下「道床バラスト」という。）には、鉄道車両の荷重を広く分散して路盤に伝えたり、鉄道車両通過時の騒音振動を減衰したり、鉄道車両の左右動や温度変化による軌条の伸縮に対する枕木位置の変動を抑制したり、軌道にクッション性を与えて乗り心地を良くしたりする等の機能ないし役割がある。河川にバラスト軌道を架け渡すために、河川上に架け渡されたコンクリート製の橋桁を鉄筋コンクリート路盤として、当該路盤上にバラスト軌道を設ける場合や、河川に設置された水路用ボックスカルバートの上床版（函体床版）を鉄筋コンクリート路盤として、当該路盤上にバラスト軌道を設ける場合がある。
【０００３】
鉄道用軌道の構造は様々な理由により変更されることがある。スラブ軌道は、鉄筋コンクリート路盤上にコンクリート板を敷設し、その板の上に軌条を設置する構造であり、省力化軌道の一つとして、バラスト道床の形成・保守が困難な高架橋や地下鉄、長大トンネル等に採用されている。特許文献１にはバラスト道床をコンクリート道床化する工法に関する技術が開示されている。もっとも、道床バラストには上述したような機能ないし役割があることから、例えば騒音振動対策が重視される家屋が近接した線路区間においてはバラスト軌道を採用する等、その用途等に応じて適宜使い分けがなされている。
【先行技術文献】
【特許文献】
【０００４】
【特許文献１】特開２０１１−２２５３８２号公報
【発明の概要】
【発明が解決しようとする課題】
【０００５】
河川の流路は、治水や利水のための河川改修整備または長期的な河岸の自然浸食により、人為的に変更されたり自然に変化したりすることがある。河川の流路が変更等されることにともない、鉄道営業線と河川の交差位置が変更され、旧河川上に鉄道用軌道を架け渡すために設置していた橋りょうやボックスカルバート（以下「橋りょう等」という。）が不要となる場合がある。この場合、橋りょう等を安全に運用するための保守点検コストの削減を図る観点から、橋りょう等の利用を廃して、旧河川を埋め立て、従来利用していた鉄筋コンクリート路盤を、砕石を投入して形成される路盤（以下「砕石路盤」という。）に変更することが考えられる。このような路盤構造の変更の要請は、河川に架け渡された橋りょう等に限らず、窪地のような凹地に架け渡された橋りょう全般にも生じ得る。
【０００６】
しかしながら、砕石路盤に変更するために、橋りょう等の全部を解体撤去する方法を採ると、代替路線を仮設する等の大々的な工事が必要となるため、鉄道運行に支障をきたし、コストが増大するとともに工期が伸びてしまう。一方、砕石路盤に変更するために、橋りょう等の全部を砕石等で埋設し、その上に軌条を敷設する方法を採ると、軌条の高さ（レベル）を上げる工事が必要となり、鉄道車両の運行速度等に影響を及ぼしてしまう等の問題が生じる。加えて、各鉄道事業者は、軌道保守の観点から、線路下に電線路やガス管等の路盤横断物を埋設しようとする場合には路盤横断物を路盤の施工基面から所定の深さ以下（例えば施工基面から３００ｍｍ以深）に埋設しなければならないといった基準を設けているところ、橋りょう等の全部を埋設してしまう方法では、埋設物が障害となって当該基準を充たすことができず、軌道保守に支障をきたすおそれがある。
【０００７】
本発明は、上記課題に鑑みてなされたものであり、鉄筋コンクリート路盤が架け渡された鉄道橋の解体にともなうバラスト軌道の路盤形成方法を提供することを目的とする。
【課題を解決するための手段】
【０００８】
本発明は、鉄筋コンクリート路盤が架け渡された鉄道橋の解体にともなうバラスト軌道の路盤形成方法であって、
（ア）前記鉄筋コンクリート路盤の底面側に鉄板支持用の支保を組み、当該支保の上に鉄板を載置し、当該鉄板上に複数の断面円形部材を軌条直交方向に並べ、前記支保の高さを調整して前記鉄板と前記鉄筋コンクリート路盤との間に前記断面円形部材を挟み込む工程と、
（イ）前記支保の下端から前記鉄板までセメント系材料で埋め固めて、前記鉄板に負荷される荷重を受ける支持層を形成する工程と、
（ウ）前記鉄筋コンクリート路盤が軌条延伸方向に所望の間隔でブロック状に分割された状態となるように、前記鉄筋コンクリート路盤を軌条直交方向に切削する工程と、
（エ）ブロック状に分割された状態の鉄筋コンクリート路盤を個々のブロックごとに軌条直交方向に引き抜き、引抜くことにより生じた空間に砕石を投入することにより、前記鉄筋コンクリート路盤を順次砕石路盤に変更する工程と、
を含むことを特徴とする。前記（ア）の工程においては、前記鉄筋コンクリート路盤の底面側にパイプサポートを立設して鉄板支持用の支保を組み、このパイプサポートを伸縮調整して断面円形部材を鉄板と鉄筋コンクリート路盤との間に挟み込むようにしても良い。また、前記（ウ）の工程にいう「分割された状態」には、ほぼ分割された状態を含むものとし、かかる状態のブロックを引き抜く際には、打撃力等を加えて隣接するブロック状の部分と完全に分割してから、軌条直交方向に引き抜くものとする。
【０００９】
本発明は、道床バラストを支持する鉄筋コンクリート路盤が架け渡された鉄道橋の解体にともなうバラスト軌道の路盤形成方法であって、
前記（エ）の工程が、
ブロック状に分割された状態の鉄筋コンクリート路盤のうち前記断面円形部材上にある各ブロックについて、
（ａ）いずれか１つを引抜対象部として選択し、
（ｂ）引抜対象部周辺の道床バラスト含む砕石を除去し、前記断面円形部材上を滑らせるようにして当該引抜対象部を軌条直交方向に引き抜き、引き抜くことにより生じた前記鉄板上の空間に砕石を投入して砕石路盤を形成することにより、当該引抜対象部の区間を鉄筋コンクリート路盤から砕石路盤に変更した後、路盤上に道床バラストを埋め戻し、
（ｃ）砕石路盤に変更された区間に隣接するブロックを次の引抜対象部として選択して前記（ｂ）の工程を行うことを、前記断面円形部材上にある各ブロックについて個々に順次行う工程を含むものであっても良い。
【００１０】
本発明は、前記（ａ）において選択される引抜対象部は軌条直交方向に連続して開けられた削孔によりブロック状に分割されていることが好ましい。
【００１１】
本発明は、前記断面円形部材は単管パイプであり、ブロック状に分割された状態の鉄筋コンクリート路盤のうち前記断面円形部材上にある各ブロックが、少なくとも２本以上の単管パイプにより支承されるように、前記（ア）の工程において前記単管パイプを複数並べて挟み込むことが好ましい。
【００１２】
本発明は、前記（ア）の工程の前に、前記鉄筋コンクリート路盤の下方にエアモルタルを打設してエアモルタル層を形成し、当該エアモルタル層の上にコンクリートを打設して保護層を形成する工程を含み、
前記（ア）の工程において、当該保護層上に前記支保を組むことにより、前記鉄板に負荷された荷重を前記支保及び前記支持層を介して前記保護層及び前記エアモルタル層で受けることが好ましい。
【００１３】
本発明は、前記（エ）の工程の前に、前記鉄板の高さ位置近傍まで砕石による腹付盛土をして前記支持層の両脇に腹付部を形成し、当該腹付部の上に養生鉄板を敷く工程を含み、
前記（エ）の工程において、軌条直交方向に引き抜かれた前記ブロックを当該養生鉄板で受けるようにしても良い。
【発明の効果】
【００１４】
本発明によれば、従前の軌条の高さを維持して鉄道車両の安全かつ所定のタイムスケジュールによる運行を確保しながら、鉄筋コンクリート路盤が架け渡された鉄道橋の解体にともなうバラスト軌道の路盤形成を実現することができる。本発明によれば、鉄筋コンクリート路盤が架け渡された鉄道橋の利用を廃して、鉄道橋を安全に運用するための保守点検コストの削減を図ることができる。本発明によれば、代替輸送路線を仮設する等といった大々的な工事が不要であり、鉄道車両の運行が無い深夜等の限られた時間帯において工事期限に間に合うように確実かつ効率的に工事を進めることができる。
【００１５】
本発明によれば、道床バラストを支持する鉄筋コンクリート路盤が架け渡された鉄道橋にあっては、従前通りの鉄道の運行に支障をきたすことなく、道床バラストを支持する鉄筋コンクリート路盤が架け渡されていた区間に新たに砕石路盤を形成することができ、当該砕石路盤上に道床バストを埋め戻すことによりバラスト軌道を再構築することもできる。日中等の鉄道車両の運行量が多い時間帯においては通常の運転走行を可能とする状態に戻すことが可能であり、鉄道車両の運行に支障をきたすことなく、バラスト軌道が敷設された鉄道橋の鉄筋コンクリート路盤を解体して、バラスト軌道が敷設された砕石路盤に変更することができる。
【図面の簡単な説明】
【００１６】
【図１】旧河川に設置された水路用ボックスカルバートの上床版上にバラスト軌道が敷設された状況を模式的に示す平面図である。
【図２】図１に示すボックスカルバートを軌条延伸方向から模式的に示すＡ−Ａ断面図である。
【図３】図１に示すボックスカルバートを軌条直交方向から模式的に示す正面図である。
【図４】エアモルタル等打設工程の一形態を適用した状況を模式的に示す正面図である。
【図５】支保工程の一形態を適用した状況を模式的に示す正面図である。
【図６】図５の部分拡大図である。
【図７】支持層形成工程の一形態を適用した状況を模式的に示す正面図である。
【図８】腹付工程の一形態を適用した状況を模式的に示す正面図である。
【図９】図８に示すボックスカルバートを軌条延伸方向から模式的に示すＢ−Ｂ断面図である。
【図１０】分割工程の一形態を適用した状況を模式的に示す正面図である。
【図１１】除去工程の一形態を適用した状況を模式的に示す正面図であり、引抜対象部として選択したブロック周辺を拡大して示す部分断面図である。
【図１２】引抜き工程の一形態を適用中の状況を軌条延伸方向から模式的に示す説明図である。
【図１３】砕石投入工程及び埋戻し工程の一形態を適用した状況を模式的に示す正面図であり、引き抜いたブロック周辺を拡大して示す部分断面図である。
【図１４】除去工程の一形態を第２のブロックに対して適用した状況を模式的に示す正面図であり、第２のブロック周辺を拡大して示す部分断面図である。
【図１５】砕石投入工程及び埋戻し工程の一形態を適用した状況を模式的に示す正面図であり、引き抜いたブロック周辺を拡大して示す部分断面図である。
【図１６】投入された砕石等の落下を防止するための土のうを設置した状況を模式的に示す平面図である。
【図１７】側壁上部以外の上床版を撤去した状況を模式的に示す正面図であり、引き抜いたブロック周辺を拡大して示す部分断面図である。
【図１８】除去工程の一形態を側壁上部のブロックに対して適用した状況を模式的に示す正面図であり、側壁上部のブロック周辺を拡大して示す部分断面図である。
【図１９】埋戻し工程の一形態を適用した状況を模式的に示す正面図であり、引き抜いた側壁上部のブロック周辺を拡大して示す部分断面図である。
【図２０】除去工程の一形態を側壁上部左端のブロックに対して適用した状況を模式的に示す正面図であり、側壁上部のブロック周辺を拡大して示す部分断面図である。
【図２１】整形工程の一形態を適用した状況を模式的に示す部分断面図である。
【図２２】図２１に示すボックスカルバートを軌条延伸方向から模式的に示すＣ−Ｃ断面図である。
【図２３】旧河川に設置された橋りょうの橋桁上にバラスト軌道が敷設された状況を軌条直交方向から模式的に示す正面図である。
【図２４】図２３に示す橋りょうに対して、エアモルタル等打設工程、支保工程及び支持層形成工程の一形態を適用した状況を軌条直交方向から模式的に示す正面図である。
【図２５】図２４に示す橋りょうに対して、腹付工程及び分割工程の一形態を適用した状況を軌条直交方向から模式的に示す正面図である。
【発明を実施するための形態】
【００１７】
以下、本発明の一実施の形態を図面に基づいて詳細に説明する。先ず、図１から図２２に基づいて単線のバラスト軌道が敷設された水路用のボックスカルバートを例として説明するが、本発明の適用対象はこれに限られるものではなく、鉄筋コンクリート製の橋桁が架け渡された橋りょう（図２３から図２５参照）や、上り線または下り線の一方のみが鉄筋コンクリート製の橋りょうである場合にも適用することができ、更には、河川に架け渡された橋りょう等に限らず、窪地のような凹地に架け渡されたコンクリート製鉄道橋全般にも適用することができるものである。
【００１８】
図１から図３は、本発明が適用される前の、鉄道橋として利用されている水路用ボックスカルバート１０を示したものであり、図１は旧河川に設置された水路用ボックスカルバート１０の上床版１２上にバラスト軌道１が敷設された状況を模式的に示す平面図であり、図２は図１に示すボックスカルバート１０を軌条延伸方向から模式的に示すＡ−Ａ断面図であり、図３は図１に示すボックスカルバート１０を軌条直交方向から模式的に示す正面図である。
【００１９】
先ず、図１から図３に基づいて、本発明を適用する前の鉄道橋の状況を説明する。図１に示す旧河川９は、以前は水路として利用されていたものであり、旧河川９にバラスト軌道１を架け渡すために、旧河川９を横断するように鉄道橋としてのボックスカルバート１０が設置されている。このボックスカルバート１０の上床版１２を鉄筋コンクリート路盤として、当該路盤上にバラスト軌道１が敷設されている。即ち、道床バラスト４を支持する鉄筋コンクリート路盤（上床版１２）が架け渡された鉄道橋（ボックスカルバート１０）が、旧河川９を横断するように設置されているが、河川の流路が変更等されたことに伴い、本発明を適用する時点では旧河川９は水路として利用されていない。
【００２０】
ボックスカルバート１０は略ロ字状のトンネル１１（貫通口）を有する角筒状の鉄筋コンクリート製のＲＣ函体構造物であり、図３に示すように、地盤面上に略水平に設置される底版１３と、底版１３のそれぞれの両端から鉛直方向に立ち上がる一対の側壁１４と、それぞれの側壁１４に架け渡されるように配置され天井部を構成する上床版１２（「函体床版」と称することもある。）とを有する。両河岸の土手８には護岸壁が施工されており、護岸壁の傾斜面に沿って鉄筋コンクリート製のウイング１５（土留め壁）がボックスカルバート１０の側壁１４に一体として設けられている。トンネル１１内は、従来は河川の水路として利用されていたが、本発明が適用される時点では水路としての利用を廃している。
【００２１】
上床版１２を鉄筋コンクリート路盤として、この路盤上には道床バラスト４が敷設されており、道床バラスト４上に所定の間隔で多数の枕木５が配設され、これらの枕木５上に軌条３が設置されている。上床版１２及びウイング１５の幅員方向の両端部（路肩部）には地覆６が突設され、側面視で凹形状の構成となっており（図２参照）、路盤上に敷設された道床バラスト４の落下を防いでいる。旧河川９の両岸には従来一般に用いられる施工方法により砕石路盤が形成され、この砕石路盤上に道床バラストが整形されている。この両岸の道床バラスト上と上床版１２に支持された道床バラスト４上には軌条３が設置されており、本発明が適用される時点においても、このバラスト軌道上を所定のタイムスケジュールにて鉄道車両が運行している。したがって、鉄道橋としてのボックスカルバートを解体する等の工事は、鉄道車両の運行が無い深夜等の限られた時間帯において確実かつ効率的に行わなければならない。
【００２２】
本形態においては、軌道保守の観点から、前述の基準を充たすように、ボックスカルバート１０の上床版１２を解体撤去するものである。トンネル１１内は空洞であるから、上床版１２を解体撤去することにより、路盤の施工基面から所定の深さ以下には路盤横断物を埋設してはならない等の基準を充たすように路盤や道床の厚さを確保することが可能となる。もっとも、鉄筋コンクリート製の上床版１２は数十トンもの重量物であるため、本発明においては、その全てを一度に撤去せず、これをブロック状に分割して、分割された状態の鉄筋コンクリート路盤を個々に引き抜いて撤去するものである。この点、上床版１２を細分化するほど各ブロックは軽量となるが、鉄道車両走行上の安全性に支障をきたしかねず、また、工期が長期化するおそれがある。そこで、本発明は、一定以上の幅ないし重量にて上床版１２をブロック状に分割しつつ、引き抜き時の摩擦を低減して引抜き撤去を可能とすることにより、限られた工期内で確実に解体撤去作業を行うものである。
【００２３】
次に、適宜図面を参照しつつ、各工程を説明する。
【００２４】
＜準備工程＞  先ず、バックホウ等の重機を用いて、旧河川９内を土砂で埋め立て、旧河川９内に作業ヤードを形成する。この際、後述のエアモルタル等打設工程を施工するため、トンネル１１に至るスロープ（図示しない）を造成しておく。重機の進入エリア等には適宜鉄板を敷いて養生しておく。鉄道車両運行のための信号通信ケーブル等が配線されている場合には、作業ヤードの外周に切り回す等して、各種作業の支障とならないようにしておく。ケーブルを保護するため、埋設された落ち蓋式のＵ型側溝内にケーブルを配置したり、高密度ポリエチレン管に挿通したうえでその周囲を仮囲い鋼板（万能鋼板）で防護したりするようにしても良い。バラスト軌道に沿って鋼製の歩道が並設されている場合には、足場を組んで、溶接作業により解体・撤去しておく。
【００２５】
＜エアモルタル等打設工程＞  図４は、図１から３に示すボックスカルバート１０に対して、エアモルタル等打設工程の一形態を適用した状況を模式的に示す正面図である。準備工程を経た後、図４に示すように、鉄筋コンクリート路盤の下方、即ち上床版１２の下方であるトンネル１１内に、所定の高さ位置までエアモルタルを打設してエアモルタル層２０を形成し、エアモルタル層２０の上に保護層２１を形成するコンクリートを打設する。
【００２６】
ここで、本工程の一形態を適用した状況を詳細に説明する。エアモルタル層２０の形成については、先ず、上流側及び下流側双方のトンネル１１を塞ぐように所定の高さ位置まで型枠（図示しない）を設置し、作業ヤード内にアジテータトラック及びコンクリートポンプ車を進入させて、図４に示すとおり、トンネル１１内の底板１３上から所定の高さ位置までエアモルタルを打設して、固化させることにより行う。エアモルタルはコンクリートに比して軽量であるため、自重による底版１３への負荷を軽減しつつ、後述の支持層２２の自重や、鉄板２３に負荷された荷重等を支持することができる。エアモルタルを打設する高さは、後述する支保工程により組まれる支保２５の高さ等を踏まえて決定する。
【００２７】
保護層２１の形成については、エアモルタルが固化した後、エアモルタル層２０の打設面上に所定の厚さ（例えば２０ｃｍ程度）のコンクリートを打設、固化させることにより行う。保護層２１を形成することにより、エアモルタル層２０の気泡内への水分の浸入を抑制してエアモルタル層２０の劣化を抑制することができ、更には、支保２５を頑強に支持することができる。保護層２１内にはビニール製の防水シートを敷くようにしても良く、これによりエアモルタル層２０への水分の浸入をより確実に抑制することができる。
【００２８】
なお、エアモルタルや保護層２１形成のためのコンクリートの打設を省略することもできる。すなわち、本発明においては、エアモルタル層２０や保護層２１の形成はいずれも任意的に選択されるものであり、例えば、底版１３から支保を組んで後述の鉄板２３を支持するようにしても良く、この場合には、支保の下端である底板１３から鉄板２３までセメント系材料で埋め固めて、鉄板２３に負荷される荷重を受ける支持層のみを形成するようにしても良い。
【００２９】
＜支保工程＞  図５は、図４に示すボックスカルバート１０に対して、支保工程の一形態を適用した状況を模式的に示す正面図であり、図６は、単管パイプの周辺を拡大して示す図５の部分拡大図である。エアモルタル等打設工程を経た後、図５及び図６に示すとおり、鉄筋コンクリート路盤である上床版１２の底面側に鉄板支持用の支保２５を組み、支保２５の上に鉄板２３を載置し、鉄板２３と上床版１２との間に複数の断面円形部材である単管パイプ２４を軌条直交方向に並べ、支保２５の高さを調整して鉄板２３と上床版１２との間に単管パイプ２４を挟み込む。なお、断面円形部材としては、中空の単管パイプ２４に限らず、断面円形である中実の丸棒部材であっても良い。
【００３０】
ここで、本工程の一形態を適用した状況を詳細に説明する。先ず、エアモルタル等打設工程を経た後、鉄筋コンクリート路盤である上床版１２の底面側、本形態においては保護層２１上に従来一般に使用される伸縮可能なパイプサポート２７を立設して、鉄板支持用の支保２５を組む。パイプサポート２７は支保２５の高さ調整手段として機能する。パイプサポート２７同士は、筋交いにより相互に連結して剛性を確保する。次に、支保２５の上に鉄板２３を載置する。鉄板２３は、鉄筋コンクリート路盤である上床版１２の裏面に対向して、別言すればトンネル１１の天井面１１ａに対向して、略水平に保持された状態で支保２５により支持されている。本形態においては、鉄板２３は、支保２５の一構成要素であるＨ鋼２６により支持されている。それぞれのＨ鋼２６は、軌条直交方向に沿って横向きに寝かせた状態（Ｉ型の状態）で、軌条延伸方向に一定の間隔で配置されており、上面側に鉄板２３が載置され、下面側がパイプサポート２７により支持されている。なお、これらの支保２５の組み方は一例に過ぎない。
【００３１】
次いで、鉄板２３上に、所定の間隔おきに、複数の単管パイプ２４を軌条直交方向に並べる。なお、軌条直交方向とは、厳密に軌条に直交する場合に限られず、ほぼ直交する場合であっても良い。単管パイプ２４は、ボックスカルバート１０の奥行き寸法（桁の幅）よりも長尺のものが用いられる。分割された状態にあるブロック状の各部分（以下、単に「ブロック」とも称する。）は、少なくとも２本以上の単管パイプ２４により支承されるような間隔で配置されることが好ましい（図１１参照）。本形態のように、上床版１２が各枕木５の間で分割されるように切削する場合には、各枕木５の間に単管パイプ２４が２本ずつ配置されるような間隔で、鉄板２３上に単管パイプ２４を並べる。次いで、パイプサポート２７の付属ハンドルを操作してパイプサポート２７を伸長させることにより鉄板２３を押し上げて、トンネル１１と鉄板２３との間に単管パイプ２４を挟み込む。これにより、鉄板２３上を断面円形の単管パイプ２４が転動しないようにするとともに、上床版１２を切断等して切り離した際のブロック１２０の自重による衝撃で単管パイプ２４が潰れないようにすることができる。なお、単管パイプ２４を所定の位置に挟み込む前に位置ズレが発生しないように、上床版１２の側面に杭ないし釘を打ち付け、これに単管パイプ２４の端部に巻き付けた鋼線を結びつけるようにして、位置を確定させておいたうえで、パイプサポート２７を操作して伸長させて鉄板２３を押し上げることにより、単管パイプ２４を所定の位置で挟み込むようにしても良い。
【００３２】
＜支持層形成工程＞  図７は、図５に示すボックスカルバートに対して、支持層形成工程の一形態を適用した状況を模式的に示す正面図である。支保工程を経た後、図７に示すように、支保２５の下端から鉄板２３までセメント系材料で埋め固めて、鉄板２３に負荷される荷重を受ける支持層２２を形成する。本形態においては、作業ヤード内にアジテータトラック及びコンクリートポンプ車を進入させて、支保２５の下端である保護層２１の上面から鉄板２３の底面位置までセメント系材料であるコンクリートで埋め固めることにより、保護層２１の上に支持層２２を形成し、鉄板２３に負荷された荷重を支保２５及び支持層２２を介して保護層２１及びエアモルタル層２０で受けるように構成している。
【００３３】
分割された状態にある各ブロック１２０は相当の重量物であるが（枕木設置スパンの一例である約６０ｃｍ間隔でブロック状に分割した場合でも、１つのブロックあたり自重が約３〜４ｔ）、支保２５及び支持層２２にて強固に支持することが可能である。分割されたブロック１２０等の荷重は支保２５及び支持層２２を介して保護層２１やエアモルタル層２０に伝わるが、支持層２２がパイプサポート２７の高さ寸法以上の厚みを持っており（図７参照）、当該荷重が保護層２１に伝わるまでの間に相当程度分散するため、トンネル１１内の下層をエアモルタル層２０で充たすことにしても十分な強度を保って支持することができる。なお、本形態においては、支持層２２を形成するためのコンクリートが鉄板２３の高さ位置まで打設されているが、砂利が混入されることによりＨ鋼２６の凹凸部などの細部にコンクリートが入り込みにくい場合には、コンクリートの打設をＨ鋼２６の下端の高さ位置までに止め、Ｈ鋼２６の下端から鉄板２３の高さ位置までをモルタルにより充填することにより、支保２５の下端から鉄板２３までセメント系材料の一種であるコンクリート及びモルタルで埋め固めて支持層を形成ようにしても良い。
【００３４】
＜腹付工程＞  図８は、図７に示すボックスカルバートに対して、腹付工程の一形態を適用した状況を模式的に示す正面図であり、図９は、図８に示すボックスカルバートを軌条延伸方向から模式的に示すＢ−Ｂ断面図である。後述の引抜工程の前に、図８及び図９に示すように、鉄板２３の高さ位置近傍まで砕石による腹付盛土をして支持層２２の両脇に腹付部３１ａを形成しておく。そして、腹付部３１ａの上に養生鉄板（図示しない）を敷き、軌条直交方向に引き抜かれたブロックを養生鉄板で受けるようにする。なお、腹付工程は、後述の引抜工程の前であれば足り、後述の分割工程を経た後に行っても良い。
【００３５】
ここで、図８及び図９に示す本工程の一形態を詳細に説明する。先ず、支持層形成工程を経て、トンネル１１内をモルタルやコンクリート等のセメント系材料で充填・固化させた後、作業ヤード内にバックホウを進入させ、図８及び図９に示すように、ボックスカルバート１０の上流側及び下流側の埋立地面上に、鉄板２３の高さ位置近傍まで砕石等による腹付盛土をして、支持層２２の両脇に腹付部３１ａを形成しておく。腹付盛土内には、適宜、層圧管理材を挿入しておく。この腹付盛土により、上流側及び下流側双方のトンネル１１の両脇は砕石等で覆われて埋設された状態となる。腹付部３１ａは、図２２に示すとおり、砕石路盤の下側の腹付部を構成する。腹付部３１ａを形成した後、ブロック１２０引き抜き用のバックホウ７を上床版１２の近傍に移動させるためのスロープ（図１２参照）を岩ずり盛土材等を用いて築いておく。ブロック１２０を引き出す際の養生として、腹付部３１ａの上面に養生鉄板（図示しない）を敷いておく。
【００３６】
上述の準備工程から腹付工程までは、道床バラスト４を支持する鉄筋コンクリート路盤（上床版１２）が架け渡された鉄道橋の解体・撤去を伴うものではなく、平常どおりの鉄道車両の運行を確保することができる。
【００３７】
＜分割工程＞  図１０は、図８に示すボックスカルバートに対して、分割工程の一形態を適用した状況を模式的に示す正面図である。腹付工程を経た後、図１０に示すように、鉄筋コンクリート路盤である上床版１２が軌条延伸方向に所望の間隔でブロック状に分割された状態となるように、上床版１２を軌条直交方向に切削する。地覆６を備える場合には、地覆６の分割も行う。作業時間が深夜等の鉄道車両の運行が無い時間帯に限られているため、本形態においては、上床版１２を概ね枕木１本ごとの設置間隔に対応させて約６０ｃｍ間隔でブロック状に分割しておき、一回の作業で引抜き撤去する上床版１２のサイズ及び重量を所定の範囲内に限定している。これにより、ブロック１２０の引抜き作業の負担や、路盤砕石や道床バラストの形成のための作業時間を減らし、限られた時間内で確実に作業を終わらせることができる。
【００３８】
ここで、図１０に示す本工程の一形態を詳細に説明する。本形態においては、上床版１２が各枕木５間を断面としてブロック状に分割された状態となるように切削され、図１０に示す場合にあっては上床版１２が１４個のブロック１２０に分割されている。上床版１２を複数のブロック１２０に分割するための切削手段として、本形態においては、コアドリリングマシンとワイヤーソーイングマシンを適宜併用する。ただし、最初に引抜対象部として選択されるブロック１２１（以下「第１のブロック」という。）は、コアドリリングマシン等を用いて、軌条直交方向に貫通する引出し用縁切り削孔１７（φ１５０）を上下方向に連続して開けることによりブロック状に分割しておくことが好ましい。引出し用縁切り削孔１７により分割することにより、第１のブロック１２１に隣接するブロックとの接触面積が減り、第１のブロック１２１を引抜く際に生じる側面摩擦が低減するので引き抜き易くなる。
【００３９】
上床版１２をブロック状に分割するには、先ず、コアドリリングマシンを用いて通し穴１８（φ７５）を軌条直交方向に向けて穿設し、この通し穴１８にワイヤーソーを通して輪切りすることにより切削して分断する。なお、上床版１２上面から数ｃｍ（例えば３ｃｍ）下の位置に通し穴１８を設け、上床版１２上面から数ｃｍ下の位置から下方へ縦方向に切削する方法を採ることにより、回転切削中のワイヤーソーが路盤上に積載された砕石を噛んでしまうことを防ぐこともできる。上床版１２上面から数ｃｍ以深までの部分は、引抜工程前までに、ブレーカーにより打撃力を加えて破壊することにより隣接するブロック１２０と完全に分割することが可能である。すなわち、「分割された状態」は、ほぼ分割された状態を含むものであっても良い。
【００４０】
地覆６の分割は、地覆６の厚さが１０数ｃｍ程度に過ぎないため、ブロック状に分割された状態にするための切削手段として例えばコアドリリングマシンを用いて、軌条直交方向に円筒状の地覆縁切り削孔１６を連続して開けることにより行う。図２及び図９に示すように、上床版１２の幅員方向の両端部（橋の路肩部分）には地覆６が突設され、側面視で凹形状の構成となっている。このうち、ブロック１２０の引き抜き方向側にある地覆６については、図１０に示すように、枕木５間に設定した分割面に沿って円筒状の地覆縁切り用削孔１６を上下方向に連続して開けることにより、隣り合う地覆６同士を縁切りしておく。一方、ブロック１２０の引き抜き方向とは反対側にある地覆については、その高さ寸法により引抜き工程時に軌条３に衝突する可能性がある場合には、コアドリリングマシンを用いて切断のうえ解体撤去しておき、図１２に示すとおり、解体箇所に土のう３０を積んでおいて砕石路盤３１上に敷設された砕石等の落下を防いでおく。
【００４１】
上床版１２をブロック状に分割する都度、鉄道車両運行の安全確保のため、隣り合うブロック１２０同士を相互にプレート状の連結金具２８で繋いでおく。これにより、鉄道車両がボックスカルバート１０上を安全に通過できるようにしておく。また、ブロック１２０のそれぞれに、例えばＵ字状の鉄筋アンカーを打ち込むことにより、重機によりブロック１２０を引き抜き撤去する際のフック２９を設けておく。各ブロック１２０を支える単管パイプ２４のそれぞれには、ブロック１２０の自重や鉄道車両通過時の車両荷重等が負荷されるが、これらの荷重は支持層２２中を分散して伝わるので、トンネル１１内の下層をエアモルタル層２０としても強度上問題ない。加えて、断面が円形の単管パイプ２４を用いることにより荷重を分散できるので、パイプの変形を抑制できる。この点、単管パイプ２４に代えてアングル鋼（山形鋼）を用いることとし、アングル鋼の折り曲げ部を上向きにして△状に配置することによってブロック１２０との接点が小さくなるようにしても良いが、引き抜き時に、ブロック１２０等の重みでアングル鋼がつぶれる可能性があることから、単管パイプ等の断面円形部材を用いることが好適である。
【００４２】
＜選択工程＞（第１のブロック）  分割工程を経た後、鉄道車両の通過予定時刻を踏まえ、例えば各ブロック１２０を一晩に一つずつのペースで引き抜いて撤去するが、この引抜き工程に先立ち、ブロック状に分割された状態の鉄筋コンクリート路盤（上床版１２）のうち断面円形部材（単管パイプ２４）上にある各ブロック１２０について、いずれか１つを引抜対象部として選択する。本形態においては、前述のとおり、第１のブロック１２１が最初の引抜き対象として選択されている。
【００４３】
＜除去工程＞（第１のブロック）  図１１は、図１０に示すボックスカルバートに対して、除去工程の一形態を適用した状況を模式的に示す正面図であり、引抜対象部として選択したブロック周辺を拡大して示す部分断面図である。本工程においては、引抜対象部周辺、即ち引抜き対象部として選択したブロック周辺の道床バラスト４を含む砕石を除去する。本形態においては、図１１に示すように、最初に引抜対象部として選択した第１のブロック１２１の周辺の道床バラスト４を含む砕石を第１のブロック１２１に被らないように斜面状に除去するものである。なお、作業の邪魔にならないように、好ましくは、第１のブロック１２１の上方にある枕木５を隣接する起終点方の枕木５に移動させて仮止めしておく。
【００４４】
＜引抜き工程＞（第１のブロック）  図１２は、図１１に示すボックスカルバートに対して、引抜き工程の一形態を適用中の状況を軌条延伸方向から模式的に示す説明図であり、ブロックの引き抜き方向を図中左向きの矢印で示している。除去工程（第１のブロック）を経た後、図１２に示すように、引抜対象部である第１のブロック１２１を断面円形部材である単管パイプ２４の上を滑らせるようにして軌条直交方向に引き抜く。本形態においては、バックホウ７を上床版１２の近傍に移動させ、バックホウ７のアームと第１のブロック１２１に設けられたフック２９とをワイヤーで連結した後、第１のブロック１２１に固定された連結金具２８を取り外し、土のう３０を撤去した後、バックホウ７を後退移動させることにより第１のブロック１２１を単管パイプ２４上をスライドさせるようにして引き抜いて撤去している。そして単管パイプ２４の上を滑らせるようにして軌条直交方向に引き抜かれた第１のブロック１２１を腹付部３１ａ上に敷設した養生鉄板（図示しない）で受けるようにしている。第１のブロック１２１を引き抜いた後は、第１のブロック１２１を支承していた単管パイプ２４を撤去することが望ましい。
【００４５】
上床版１２はブロック１２０ごとに引き抜いて撤去されるが、スムーズにブロックを引き出せないと、所定の時間内に工事を完了することができないおそれがあるため、引き抜く際に過大な摩擦抵抗が発生しないように対策を講じておく必要がある。この点、本形態においては、２本の単管パイプ２４上を滑らせるようにして第１のブロック１２１を引き抜くことにより、ブロックを引き抜く際の下面における接点が小さくなるため、引抜き時に第１のブロック１２１の底面に生じる摩擦力を低減することができる。２本の単管パイプ２４上を滑らせることにより、安定して引き抜くことができる。また、第１のブロック１２１は引出し用縁切り削孔１７を開けることによりブロック状に分割されているので、隣接するブロックとの接触面積が少なく、引抜き時にブロック１２１の側面に生じる摩擦力を低減することができるので、ブロックの引抜き作業をスムーズに行うことができる。なお、前述のとおり、ブロック１２１の引き抜き方向とは反対側にある地覆については解体撤去済みであるため、引き抜きの際にブロック１２１に突設された地覆が軌条３に接触するおそれはない。
【００４６】
＜砕石投入工程＞（第１のブロック）  図１３は、砕石投入工程及び埋戻し工程の一形態を適用した状況を模式的に示す正面図であり、引き抜いたブロック周辺を拡大して示す部分断面図である。引抜き工程（第１のブロック）を経た後、第１のブロック１２１を引き抜くことにより生じた鉄板２３上の空間に砕石を投入して砕石路盤３１を形成する。投入される砕石は、粒度調整砕石である。砕石を投入する箇所は引抜対象部として選択されたブロック１２１周辺に限られているため、転圧作業を含め、短時間で行うことができる。これにより、引抜対象部として選択された第１ブロック１２１の区間を鉄筋コンクリート路盤から砕石路盤に変更することができる。
【００４７】
＜埋戻し工程＞（第１のブロック）  砕石投入工程（第１のブロック）を経た後、図１３に示すように、路盤上に道床バラスト４を埋め戻す。埋め戻される道床バラスト４は、除去工程（第１のブロック）において除去した道床バラストを再利用しても良いし、新たに準備した道床バラストを含むものであっても良い。道床バラスト４が崩落しないように、ブロック１２１を引き抜いた箇所のバラスト軌道１の両側に大型土のう３２を設置しておくようにしても良い（図１６参照）。道床バラスト４を埋め戻す箇所は引抜対象部のブロック１２１周辺の砕石路盤および未撤去の鉄筋コンクリート路盤（上床版１２）上に限られているため、鉄道車両を運行に支障をきたすことなく、これらの作業を短時間で実施することが可能である。ブロック引抜き用のバックホウ７と砕石投入用の軌陸バックホウをそれぞれ準備すれば、限られた作業時間内でより確実に作業を終わらせることができる。道床バラスト４を投入して、砕石路盤３１ないし未撤去の上床版１２上にバラスト道床を復旧した後、枕木５を元の位置に戻して軌道を整備して、鉄道車両が運行可能な状態に復旧しておく。これにより、第１ブロック１２１の区間を道床バラスト４が敷設された砕石路盤３１に変更することができる。なお、工期が夏場のような温度上昇期である場合には、道床安定剤を散布して軌条３の座屈を防ぐようにしても良い。
【００４８】
＜選択工程＞（第２のブロック）  第１のブロック１２１を引抜き撤去することにより砕石路盤に変更された区間に隣接するブロック１２２を、次の引抜対象部（以下「第２のブロック」という。）として選択する（図１４参照）。
【００４９】
＜除去工程＞（第２のブロック）  図１４は、除去工程の一形態を第２のブロックに対して適用した状況を模式的に示す正面図であり、第２のブロック周辺を拡大して示す部分断面図である。本工程においては、図１４に示すように、次の引抜対象部周辺、即ち第２のブロック１２２周辺の道床バラスト４を含む砕石を除去する。これにより、当該選択したブロック１２２を単管パイプ２４の上を滑らせるようにして軌条直交方向に引き抜くことができる状態としておく。本工程は、例えば、翌日以降の鉄道車両の運行が無い時間帯を利用して行われる。前述の除去工程（第１のブロック）と同様、図１４に示すように、引抜対象部である第２のブロック１２２の周辺の道床バラスト４を含む砕石を第２のブロック１２２に被らないように斜面状に除去するとともに、好ましくは、第２のブロック１２２の上方にある枕木５を隣接する起終点方の枕木５に移動させて仮止めしておく。なお、道床安定剤を散布していたときは、バラスト融解剤を散布した後に除去作業を行う。
【００５０】
＜引抜き工程＞（第２のブロック）  砕石除去工程を経て、第２のブロック１２２の周辺の砕石を撤去した後、引き抜き作業の障害となる位置に設置された土のう３０、３２を移動させておき、その後、第１のブロック１２１と同様の工程により、引抜対象部である第２のブロック１２２を軌条直交方向に引き抜く。第１のブロック１２１を撤去しているため、第１のブロック１２１に隣接していた第２のブロックの側面（図１４中左側面）は自由面となる。そこで、第２のブロック１２２が図１４中右側面において隣接する第３のブロック１２３（第２のブロックの次に引抜対象部として選択するブロック）と密接した状態にある場合には、第２のブロック１２２を自由面側に逃がすように引き抜くようにすれば、第３のブロック１２３との接触摩擦を断ち切ることができ、よりスムーズに引き抜くことができる。なお、底面側に発生する摩擦は単管パイプ２４上を滑らせることにより低減されることは、第１のブロック１２１の引抜き工程で述べたのと同様である。
【００５１】
＜砕石投入工程＞（第２のブロック）  図１５は、砕石投入工程及び埋戻し工程の一形態を適用した状況を模式的に示す正面図であり、引き抜いた２番目のブロック周辺を拡大して示す部分断面図である。引抜き工程（第２のブロック）を経た後、第２のブロック１２２を引き抜くことにより生じた鉄板２３上の空間に砕石を投入して砕石路盤３１を形成する。これにより、当該引抜対象部として選択された第２のブロック１２２の区間を鉄筋コンクリート路盤から砕石路盤に変更する。砕石を投入する箇所は引き抜き対象のブロック１２２周辺に限られているため、転圧作業を含め、短時間で行うことができる。
【００５２】
＜埋戻し工程＞（第２のブロック）  砕石投入工程（第２のブロック）を経た後、図１５に示すように、路盤上に道床バラスト４を埋め戻して、路盤上にバラスト道床を復旧しておく。枕木５は元の位置に戻して軌道を整備しておき、鉄道車両が運行可能な状態に復旧しておく。その他の説明は第１のブロック１２１と同様であるから省略する。第２ブロックの除去工程、引抜き工程、砕石投入工程及び埋戻し工程は、一晩のうちに完了させることが望ましく、かつ、前述のとおり作業対象（区間）が限られていることから可能である。これにより、鉄道車両を運行に支障をきたすことなく、鉄道橋を構成する鉄筋コンクリート路盤の一部をバラスト軌道が敷設された砕石路盤に変更することができる。
【００５３】
図１６は、投入された砕石等の落下を防止するための土のうを設置した状況を模式的に示す平面図であり、特に、第２のブロック１２２について埋戻し工程を終えた後の状況を示すものである。図１６に示すように、砕石路盤３１及び道床バラスト４が崩落しないように、適宜、ブロック１２１、１２２を引き抜いた箇所のバラスト軌道１の両側に大型の土のう３２を設置しておく。
【００５４】
＜第３のブロック以降＞  第２のブロック１２２の撤去作業を終えた翌日以降の鉄道車両の運行が無い時間帯を利用して、第３のブロック１２３以降の撤去作業を行う。第３のブロック以降についても、砕石路盤に変更された区間に隣接するブロックの１つを引抜対象部として選択して（選択工程）、除去工程、引抜き工程、砕石投入工程及び埋戻し工程を行うことを、断面円形部材である単管パイプ２４上にある各ブロックについて個々に順次行う。例えば一晩に１ブロックのペースで、選択工程、除去工程、引抜工程、砕石投入工程及び埋戻し工程を行うことにより、一晩に１ブロック区間分のペースで、徐々にバラスト軌道が敷設された砕石路盤に変更することができる。図１７は、側壁上部以外の上床版を撤去した状況を模式的に示す正面図であり、引き抜いたブロック周辺を拡大して示す部分断面図である。図１７に示すように、単管パイプ２４上にあるブロック１２０を全て撤去して、砕石路盤３１を形成し、当該砕石路盤３１上に道床バラスト４を敷設して、砕石路盤３１上にバラスト軌道１を復旧する。
【００５５】
本発明によれば、従前の軌条を維持して鉄道車両の安全かつ所定のタイムスケジュールによる運行を確保しながら、深夜等の鉄道車両の運行が無い限られた時間帯において確実かつ効率的に工事を進めることができ、鉄筋コンクリート路盤としての上床版１２を解体撤去して、バラスト軌道が敷設された砕石路盤に変更することができる。本発明によれば、夜間寝台鉄道車両や長距離貨物鉄道車両が運行されている鉄道区間のように、鉄道車両通過後に次の鉄道車両が通過するまでの間合い（間隔）が１時間程度に限られている場合であっても適用することが可能であり、仮に、一つの通過間隔内では除去工程、引抜き工程、砕石投入工程及び埋戻し工程の全てを施工できない場合又はそのおそれがある場合には、工程の途中で、道床バラスト４を除去したりブロックを撤去したりすることにより空になった空間にサンドルを仮設して軌条２を支えることにより鉄道車両を通過させ、通過後に工程の続きを施工することも可能である。
【００５６】
図１８は、除去工程の一形態を側壁上部のブロックに対して適用した状況を模式的に示す正面図であり、側壁上部のブロック周辺を拡大して示す部分断面図である。側壁上部のブロック１２８を引き抜く際にも、当該ブロック１２８周辺の道床バラスト４を含む砕石を除去した後（図１８参照）、バックホウ７を用いてこれを軌条直交方向に引き抜いて撤去する。図１９は、埋戻し工程の一形態を適用した状況を模式的に示す正面図であり、引き抜いた側壁上部のブロック周辺を拡大して示す部分断面図である。引き抜き対象として選択したブロック１２８を引き抜くことにより生じた空間に砕石を投入することにより砕石路盤３１を形成する。これにより、鉄筋コンクリート路盤を砕石路盤に変更し、次いで、道床バラスト４を埋め戻し、枕木５を元の位置に戻してバラスト軌道１を復旧しておき、鉄道車両が運行可能な状態に復旧しておく。
【００５７】
図２０は、除去工程の一形態を側壁上部左端のブロックに対して適用した状況を模式的に示す正面図であり、側壁上部のブロック周辺を拡大して示す部分断面図である。側壁上部左端のブロック１２９を撤去する際にも、ブロック１２９の周辺の道床バラスト４を含む砕石を除去した後、これを軌条直交方向に引き抜いて、引抜くことにより生じた空間に砕石を投入することにより、鉄筋コンクリート路盤を順次砕石路盤に変更する。なお、右側側壁上部のブロックも同様の方法により撤去する。
【００５８】
＜整形工程＞  図２１は、整形工程の一形態を適用した状況を模式的に示す部分断面図である。図２２は、図２１に示すボックスカルバートを軌条延伸方向から模式的に示すＣ−Ｃ断面図である。上床版１２を全て撤去して砕石路盤に変更した後（図２１参照）、大型土のう３２を撤去しながら、腹付部３１ａ上に粒度調整砕石を用いて腹付盛土をすることにより、図２２に示すように、側面視で台形状の法面を有する上部腹付部３１ｂを砕石路盤３１の両脇に整形する。次いで、上部腹付部３１ｂ上に道床バラスト４を敷設し、バラスト道床の両脇を整形する。以上の工程によれば、従前の軌条の高さを維持して鉄道車両の安全かつ所定のタイムスケジュールによる運行を確保しながら、砕石路盤３１やバラスト道床を整形することができる。
【００５９】
本発明は、橋台４１の間に鉄筋コンクリート路盤としての橋桁４２が架け渡された橋りょうタイプの鉄道橋にも適用することができる（図２３から図２５参照）。
【００６０】
図２３は、旧河川に設置された橋りょうの橋桁上にバラスト軌道が敷設された状況を軌条直交方向から模式的に示す正面図である。橋台４１は、鉄筋コンクリート製の橋桁４２の両端を支えている。橋桁４２上にはバラスト軌道４３が敷設されており、道床バラストが橋桁４２により支持されている。橋台４１間には旧来、水路（図示しない）が設けられていたが、本発明が適用される時点ではその用を廃している。橋りょうタイプの鉄道橋については、先ず、準備工程として、水路上に河床コンクリート４４を整備する。既設の河床コンクリートが無い場合には、旧河川を埋め立てて整地した後、コンクリートを打設して新たに河床コンクリート４４を形成する。河床コンクリート４４があることにより、型枠の設置などエアモルタル層４５の施工が行いやすくなるとともに、その上方に施工されるエアモルタル層４５や支持層４６、ブロック４７等の荷重を分散して受けられるという効果がある。
【００６１】
図２４は、図２３に示す橋りょうに対して、エアモルタル等打設工程、支保工程及び支持層形成工程の一形態を適用した状況を軌条直交方向から模式的に示す正面図である。図２４に示すように、前記鉄筋コンクリート路盤（橋桁４２）の下方にエアモルタルを打設してエアモルタル層４５を形成し、当該エアモルタル層４５の上にコンクリートを打設して保護層５１を形成する工程を行った後、橋桁４２の底面側に鉄板支持用の支保４９を組み、支保４９の上に鉄板４８を載置し、鉄板４８上に複数の断面円形部材としての単管パイプ５０を軌条直交方向に並べ、支保４９の高さを調整して鉄板４８と橋桁４２との間に単管パイプ５０を挟み込む工程を行う。次に、支保４９の下端から鉄板４８までセメント系材料で埋め固めて、鉄板４８に負荷される荷重を受ける支持層４６を形成する工程を行う。保護層５１上に支保４９を組むことにより、鉄板４８に負荷された荷重を支保４９及び支持層４６を介して保護層５１及びエアモルタル層４５で受けるようにしている。なお、単管パイプ５０は、ブロック状に分割された状態の橋桁４２のうち単管パイプ５０上にある各ブロック４７が、少なくとも２本以上の単管パイプ５０により支承されるような間隔で鉄板４８上に並べて挟み込まれている。これらの工程の詳細は、図１から図２２を適宜参照して説明した前記実施の形態と同様であるので、詳細な説明は省略する。
【００６２】
図２５は、図２４に示す橋りょうに対して、腹付工程及び分割工程の一形態を適用した状況を軌条直交方向から模式的に示す正面図である。支持層４６を形成した後、鉄板４８の高さ位置近傍まで砕石による腹付盛土をして支持層４６の両脇に腹付部５２ａを形成し、腹付部５２ａの上に養生鉄板を敷く工程を行う。次いで、鉄筋コンクリート路盤としての橋桁４２が軌条延伸方向に所望の間隔でブロック状に分割された状態となるように、橋桁４２を軌条直交方向にワイヤーソーイングマシンやコアドリリングマシン等を用いて切削する工程を行う。本形態においては、引抜対象部として最初に選択される第１のブロック４７ａは、軌条直交方向に連続して開けられた引抜き用縁切り削孔５３によりブロック状に分割されている。分割された各ブロック４７は引き抜かれるまでは相互に連結金具５４により固定されている。腹付工程、分割工程の詳細は、図１から図２２を適宜参照して説明した前記実施の形態と同様であるので、詳細な説明は省略する。
【００６３】
ブロック状に分割された状態の橋桁４２のうち単管パイプ５０上にある各ブロック４７について、いずれか１つを引抜対象部として選択する。そして、引抜対象部である第１のブロック４７ａ周辺の道床バラストを除去し、単管パイプ５０上を滑らせるようにして第１のブロック４７ａを軌条直交方向に引き抜き、引き抜くことにより生じた鉄板４８上の空間に砕石を投入して砕石路盤を形成することにより、当該引抜対象部の区間を鉄筋コンクリート路盤から砕石路盤に変更し、路盤上に道床バラストを埋め戻す工程を行う。道床バラストを埋め戻してバラスト軌道４３を復旧することにより、軌道上を列車が運行可能となる。次いで、砕石路盤に変更された区間に隣接するブロック４７を次の引抜対象部として選択して、当該工程を行うことを、単管パイプ５０上にある各ブロック４７に対して個々に順次行うことにより、橋桁４２を順次撤去してバラスト軌道４３が敷設された砕石路盤に順次変更することができる。これらの工程の詳細は、図１から図２２を適宜参照して説明した前記実施の形態と同様であるので、詳細な説明は省略する。
【００６４】
以上、主としてボックスカルバート１０に本発明を適用した場合を主として説明したが、本発明は、スラブ軌道による鉄道橋を解体撤去して、当該鉄道橋が架け渡されていた区間に新たにバラスト軌道が敷設された砕石路盤を形成する場合の施工にも適用することができる。その他、本発明の技術的範囲が上記の形態ないし実施例に限定されないことはいうまでもない。例えば、本実施の形態においては、一晩に１ブロックのペースで除去工程、引抜き工程及び埋戻し工程を行っているが、鉄道車両が通過する間隔に余裕があれば、一晩で数ブロックを対象として施工をすることも可能である。また、１番目に引き抜くブロック（第１のブロック）は、上床版又は桁の中央に配置されているものであっても良く、これを引き抜いた後は、左右方向に同時に引抜き作業を行うようにしても良い。
【産業上の利用可能性】
【００６５】
本発明は、鉄筋コンクリート路盤が架け渡された鉄道橋の解体にともなうバラスト軌道の路盤形成に適用することができる。
【符号の説明】
【００６６】
１    バラスト軌道
３    軌条
４    道床バラスト
５    枕木
６    地覆
７    バックホウ
８    土手
９    旧河川
１０    ボックスカルバート
１１    トンネル
１１ａ  トンネルの天井面
１２    上床版（鉄筋コンクリート路盤）
１３    底版
１４    側壁
１５    ウイング
１６    地覆縁切り削孔
１７    引出し用縁切り削孔
１８    通し穴
２０    エアモルタル層
２１    保護層
２２    支持層
２３    鉄板
２４    単管パイプ（断面円形部材）
２５    支保
２６    Ｈ鋼
２７    パイプサポート
２８    連結金具
２９    フック
３０    土のう
３１    砕石路盤
３１ａ  腹付部
３１ｂ  上部腹付部
３２    大型土のう
４０    橋りょう
４１    橋台
４２    橋桁（鉄筋コンクリート路盤）
４３    バラスト軌道
４４    河床コンクリート
４５    エアモルタル層
４６    支持層
４７    ブロック
４７ａ  第１のブロック
４８    鉄板
４９    支保
５０    単管パイプ（断面円形部材）
５１    保護層
５２ａ  腹付部
５３    引抜き用縁切り削孔
５４    連結金具
１２０    ブロック
１２１    第１のブロック
１２２    第２のブロック
１２３    第３のブロック
１２８    側壁上部のブロック
１２９    側壁上部左端のブロック
【図１】
2018172953.tif 000003
【図２】
2018172953.tif 000004
【図３】
2018172953.tif 000005
【図４】
2018172953.tif 000006
【図５】
2018172953.tif 000007
【図６】
2018172953.tif 000008
【図７】
2018172953.tif 000009
【図８】
2018172953.tif 000010
【図９】
2018172953.tif 000011
【図１０】
2018172953.tif 000012
【図１１】
2018172953.tif 000013
【図１２】
2018172953.tif 000014
【図１３】
2018172953.tif 000015
【図１４】
2018172953.tif 000016
【図１５】
2018172953.tif 000017
【図１６】
2018172953.tif 000018
【図１７】
2018172953.tif 000019
【図１８】
2018172953.tif 000020
【図１９】
2018172953.tif 000021
【図２０】
2018172953.tif 000022
【図２１】
2018172953.tif 000023
【図２２】
2018172953.tif 000024
【図２３】
2018172953.tif 000025
【図２４】
2018172953.tif 000026
【図２５】
2018172953.tif 000027